(57)【要約】【課題】精度良く高速に画像表示装置のキャリブレーションを行う。【解決手段】複数の異なる領域に複数の測色用画像を表示させ、複数の測色器により各領域に表示される測色用画像の測定を並行して行わせ、複数の測色用画像についての測定値に基づき画像表示装置のキャリブレーションを行う。１つの種類の測色用画像について所定期間内で複数回の測定を測色器に行わせ、複数回分の測定値に基づき各測色用画像の測色結果を取得し、複数の種類の測色用画像の測色結果に基づきキャリブレーションを行う。輝度値が閾値より低い測色用画像は、複数の領域の全てに同じ種類の測色用画像を表示させ、当該測色用画像に対応する予め記憶されている測定時間を測色器の数で除した長さの期間内で、複数の測色器にそれぞれ当該測色用画像についての測定値を並行して出力させ、全ての測色器による測定値に基づき測色結果を取得する。【選択図】図１
2013211733.tif 000002
【特許請求の範囲】
【請求項１】
画像表示装置の画面内の複数の異なる領域に複数の測色用画像を表示させ、領域毎に設置される複数の測色器により、各領域に表示される測色用画像の輝度又は色度の少なくともいずれかの測定を並行して行わせる測色制御手段と、
所定の複数の種類の測色用画像についての前記測色器から出力される測定値に基づき画像表示装置のキャリブレーションを行うキャリブレーション手段と、
を備え、
前記測色制御手段は、前記測色器に、１つの種類の測色用画像について所定期間内で複数回の測定を行わせ、
前記キャリブレーション手段は、各測色用画像についての複数回分の測定値に基づき各測色用画像の測色結果を取得し、複数の種類の測色用画像の測色結果に基づきキャリブレーションを行う、
画像表示装置のキャリブレーション装置であって、
測色用画像の種類毎に、前記測色器に測定を行わせる期間の長さを示す測定時間の情報を記憶する記憶手段を備え、
前記測色制御手段は、前記複数の種類の測色用画像のうち輝度値が閾値より低い測色用画像については、前記複数の領域の全てに同じ種類の測色用画像を表示させ、当該測色用画像に対応する測定時間を測色器の数で除した長さの期間内で、複数の測色器にそれぞれ当該測色用画像についての測定値を並行して出力させる同種画像並列測色制御を行い、
前記キャリブレーション手段は、同種画像並列測色制御の対象となる測色用画像については、全ての測色器による測定値に基づき測色結果を取得することを特徴とする画像表示装置のキャリブレーション装置。
【請求項２】
前記測色制御手段は、前記複数の種類の測色用画像のうち、他のどの種類の測色用画像と比較しても画素値の差分が閾値以上となる測色用画像を、前記同種画像並列測色制御の対象とする請求項１に記載の画像表示装置のキャリブレーション装置。
【請求項３】
前記測色制御手段は、前記複数の種類の測色用画像のうち前記同種画像並列測色制御の対象とならない測色用画像については、それぞれ測色器の数以下の測色用画像からなるグループであって同じグループに属する測色用画像同士の画素値の差分が閾値より小さくなるグループによりグループ分けし、前記複数の領域の各々に、同じグループに属する異なる種類の測色用画像を表示させ、複数の測色器にそれぞれ異なる種類の測色用画像についての測定値を並行して出力させる異種画像並列測色制御を行う請求項１又は２に記載の画像表示装置のキャリブレーション装置。
【請求項４】
前記測色制御手段は、前記異種画像並列測色制御において、測定対象のグループに属する測色用画像の各々に対応する測定時間のうち最も長い測定時間を、複数の測色器の各々に測定を行わせる期間の長さとして設定する請求項３に記載の画像表示装置のキャリブレーション装置。
【請求項５】
画像表示装置の画面内の複数の異なる領域に複数の測色用画像を表示させ、領域毎に設置される複数の測色器により、各領域に表示される測色用画像の輝度又は色度の少なくともいずれかの測定を並行して行わせる測色制御工程と、
所定の複数の種類の測色用画像についての前記測色器から出力される測定値に基づき画像表示装置のキャリブレーションを行うキャリブレーション工程と、
を有し、
前記測色制御工程は、前記測色器に、１つの種類の測色用画像について所定期間内で複数回の測定を行わせ、
前記キャリブレーション工程は、各測色用画像についての複数回分の測定値に基づき各
測色用画像の測色結果を取得し、複数の種類の測色用画像の測色結果に基づきキャリブレーションを行う、
画像表示装置のキャリブレーション装置の制御方法であって、
記憶手段から、測色用画像の種類毎に記憶された前記測色器に測定を行わせる期間の長さを示す測定時間の情報を読み込む工程を有し、
前記測色制御工程は、前記複数の種類の測色用画像のうち輝度値が閾値より低い測色用画像については、前記複数の領域の全てに同じ種類の測色用画像を表示させ、当該測色用画像に対応する測定時間を測色器の数で除した長さの期間内で、複数の測色器にそれぞれ当該測色用画像についての測定値を並行して出力させる同種画像並列測色制御を行い、
前記キャリブレーション工程は、同種画像並列測色制御の対象となる測色用画像については、全ての測色器による測定値に基づき測色結果を取得することを特徴とする画像表示装置のキャリブレーション装置の制御方法。
【請求項６】
入力される画像信号に基づく画像を表示する表示手段と、
入力される画像信号に対し画像処理を行って前記表示手段へ出力する画像処理手段と、
前記表示手段の画面内の複数の異なる領域に複数の測色用画像を表示させ、領域毎に設置される複数の測色器により、各領域に表示される測色用画像の輝度又は色度の少なくともいずれかの測定を並行して行わせる測色制御手段と、
所定の複数の種類の測色用画像についての前記測色器から出力される測定値に基づき前記画像処理手段のキャリブレーションを行うキャリブレーション手段と、
を備え、
前記測色制御手段は、前記測色器に、１つの種類の測色用画像について所定期間内で複数回の測定を行わせ、
前記キャリブレーション手段は、各測色用画像についての複数回分の測定値に基づき各測色用画像の測色結果を取得し、複数の種類の測色用画像の測色結果に基づきキャリブレーションを行う、
画像表示装置であって、
測色用画像の種類毎に、前記測色器に測定を行わせる期間の長さを示す測定時間の情報を記憶する記憶手段を備え、
前記測色制御手段は、前記複数の種類の測色用画像のうち輝度値が閾値より低い測色用画像については、前記複数の領域の全てに同じ種類の測色用画像を表示させ、当該測色用画像に対応する測定時間を測色器の数で除した長さの期間内で、複数の測色器にそれぞれ当該測色用画像についての測定値を並行して出力させる同種画像並列測色制御を行い、
前記キャリブレーション手段は、同種画像並列測色制御の対象となる測色用画像については、全ての測色器による測定値に基づき測色結果を取得することを特徴とする画像表示装置。
【発明の詳細な説明】
【技術分野】
【０００１】
本発明は、複数の測色器を使用してキャリブレーションを行う事が可能な画像表示装置、画像表示装置のキャリブレーション装置、及びその制御方法に関するものである。
【背景技術】
【０００２】
画像表示装置において表示品質を高精度に保つためにキャリブレーションを行って画像処理の調整を行う技術が知られている。キャリブレーションでは、画像表示装置に表示される測色用画像（テスト用の一様色画像、パッチ画像）を測色器（センサー）で測色して、測色結果に基づいて画像処理のパラメータ等を調整する。
【０００３】
キャリブレーションにおける調整項目は多岐にわたり、多数の測色用画像について多数回、表示及び測色を繰り返す必要があるため、キャリブレーションには時間がかかるという課題がある。
上記課題を解決するために、例えば特許文献１に記載の技術では、複数の測色用画像を複数の測定器を用いて並列に測色を行うことで、測色用画像１つあたりの測色時間は短縮できないものの、キャリブレーション全体の処理時間を短縮することを図っている。
【先行技術文献】
【特許文献】
【０００４】
【特許文献１】特開平１０−１２２８１９号公報
【発明の概要】
【発明が解決しようとする課題】
【０００５】
しかしながら、特許文献１に記載の技術では、並列に測色を行う際に一方の測色用画像が他方の測色用画像の測色結果に及ぼす影響について考慮されていない。例えば、ＲＧＢの画素値が大きく異なる２つの測色用画像を並列表示させると、一方の測色用画像を測色する測色器が他方の測色用画像からの光を拾うことで、測色結果に影響を与えてしまう。そのため、精度良くキャリブレーションを行うことができない可能性があった。
【０００６】
そこで、本発明は、精度良く高速に画像表示装置のキャリブレーションを行うことを目的とする。
【課題を解決するための手段】
【０００７】
本発明は、画像表示装置の画面内の複数の異なる領域に複数の測色用画像を表示させ、領域毎に設置される複数の測色器により、各領域に表示される測色用画像の輝度又は色度の少なくともいずれかの測定を並行して行わせる測色制御手段と、
所定の複数の種類の測色用画像についての前記測色器から出力される測定値に基づき画像表示装置のキャリブレーションを行うキャリブレーション手段と、
を備え、
前記測色制御手段は、前記測色器に、１つの種類の測色用画像について所定期間内で複数回の測定を行わせ、
前記キャリブレーション手段は、各測色用画像についての複数回分の測定値に基づき各測色用画像の測色結果を取得し、複数の種類の測色用画像の測色結果に基づきキャリブレーションを行う、
画像表示装置のキャリブレーション装置であって、
測色用画像の種類毎に、前記測色器に測定を行わせる期間の長さを示す測定時間の情報
を記憶する記憶手段を備え、
前記測色制御手段は、前記複数の種類の測色用画像のうち輝度値が閾値より低い測色用画像については、前記複数の領域の全てに同じ種類の測色用画像を表示させ、当該測色用画像に対応する測定時間を測色器の数で除した長さの期間内で、複数の測色器にそれぞれ当該測色用画像についての測定値を並行して出力させる同種画像並列測色制御を行い、
前記キャリブレーション手段は、同種画像並列測色制御の対象となる測色用画像については、全ての測色器による測定値に基づき測色結果を取得することを特徴とする画像表示装置のキャリブレーション装置である。
【０００８】
本発明は、画像表示装置の画面内の複数の異なる領域に複数の測色用画像を表示させ、領域毎に設置される複数の測色器により、各領域に表示される測色用画像の輝度又は色度の少なくともいずれかの測定を並行して行わせる測色制御工程と、
所定の複数の種類の測色用画像についての前記測色器から出力される測定値に基づき画像表示装置のキャリブレーションを行うキャリブレーション工程と、
を有し、
前記測色制御工程は、前記測色器に、１つの種類の測色用画像について所定期間内で複数回の測定を行わせ、
前記キャリブレーション工程は、各測色用画像についての複数回分の測定値に基づき各測色用画像の測色結果を取得し、複数の種類の測色用画像の測色結果に基づきキャリブレーションを行う、
画像表示装置のキャリブレーション装置の制御方法であって、
記憶手段から、測色用画像の種類毎に記憶された前記測色器に測定を行わせる期間の長さを示す測定時間の情報を読み込む工程を有し、
前記測色制御工程は、前記複数の種類の測色用画像のうち輝度値が閾値より低い測色用画像については、前記複数の領域の全てに同じ種類の測色用画像を表示させ、当該測色用画像に対応する測定時間を測色器の数で除した長さの期間内で、複数の測色器にそれぞれ当該測色用画像についての測定値を並行して出力させる同種画像並列測色制御を行い、
前記キャリブレーション工程は、同種画像並列測色制御の対象となる測色用画像については、全ての測色器による測定値に基づき測色結果を取得することを特徴とする画像表示装置のキャリブレーション装置の制御方法である。
【０００９】
本発明は、入力される画像信号に基づく画像を表示する表示手段と、
入力される画像信号に対し画像処理を行って前記表示手段へ出力する画像処理手段と、
前記表示手段の画面内の複数の異なる領域に複数の測色用画像を表示させ、領域毎に設置される複数の測色器により、各領域に表示される測色用画像の輝度又は色度の少なくともいずれかの測定を並行して行わせる測色制御手段と、
所定の複数の種類の測色用画像についての前記測色器から出力される測定値に基づき前記画像処理手段のキャリブレーションを行うキャリブレーション手段と、
を備え、
前記測色制御手段は、前記測色器に、１つの種類の測色用画像について所定期間内で複数回の測定を行わせ、
前記キャリブレーション手段は、各測色用画像についての複数回分の測定値に基づき各測色用画像の測色結果を取得し、複数の種類の測色用画像の測色結果に基づきキャリブレーションを行う、
画像表示装置であって、
測色用画像の種類毎に、前記測色器に測定を行わせる期間の長さを示す測定時間の情報を記憶する記憶手段を備え、
前記測色制御手段は、前記複数の種類の測色用画像のうち輝度値が閾値より低い測色用画像については、前記複数の領域の全てに同じ種類の測色用画像を表示させ、当該測色用画像に対応する測定時間を測色器の数で除した長さの期間内で、複数の測色器にそれぞれ
当該測色用画像についての測定値を並行して出力させる同種画像並列測色制御を行い、
前記キャリブレーション手段は、同種画像並列測色制御の対象となる測色用画像については、全ての測色器による測定値に基づき測色結果を取得することを特徴とする画像表示装置である。
【発明の効果】
【００１０】
本発明によれば、精度良く高速に画像表示装置のキャリブレーションを行うことができる。
【図面の簡単な説明】
【００１１】
【図１】実施例の画像表示装置を示すブロック図
【図２】実施例の画像表示装置と測色器の配置を示す図
【図３】測色用画像の輝度と測色時間の関係を表すグラフ
【図４】キャリブレーション処理を示すフローチャート
【図５】実施例における画像テーブル
【図６】実施例における組み合わせテーブル
【図７】実施例における表示位置開始テーブル
【発明を実施するための形態】
【００１２】
（実施例１）
図面を用いて本発明の実施形態を説明する。
図１は本発明の第一の実施形態としての画像表示装置１００の全体構成を示すブロック図である。
画像表示装置１００は、画像入力部１０１、画像処理部１０２、色データ補正部１０３、パネル部１０４、測色用画像生成部１０５、グラフィックス生成部１０６、ＣＰＵ１０７、ＲＡＭ１０８、ＲＯＭ１０９、情報送受信部１１０、測色組み合わせ決定部１１１、測色時間設定部１１２、測色結果算出部１１３、キャリブレーション制御部１１４を備える。また、画像表示装置１００は、ＰＣ３００と接続され、ＰＣ３００は第１測色器２００及び第２測色器２０１と接続される。
以下、図１の各構成要素について説明する。
【００１３】
画像入力部１０１は、画像表示装置１００に入力される画像信号を受信する。画像入力部１０１は、例えばＤＰ（ＤｉｓｐｌａｙＰｏｒｔ）、ＤＶＩ（Ｄｉｇｉｔａｌ  Ｖｉｓｕａｌ  Ｉｎｔｅｒｆａｃｅ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等の画像入力端子である。
【００１４】
画像処理部１０２は、画像入力部１０１より入力された画像信号に対し、各種画像処理を施す処理部である。画像処理の具体的な例としては、輝度の変更やコントラストの変更、解像度の変更等が挙げられる。画像処理部１０２において処理された画像信号は、後述する色データ補正部１０３にて色データの補正処理が行われた後、後述するパネル部１０４へ送出され、表示される。この他にも、画像処理部１０２においては、入力される画像信号に対して、後述する測色用画像生成部１０５で生成される測色用画像や、グラフィックス生成部１０６で生成されるグラフィックスデータの重畳処理も行われる。
【００１５】
色データ補正部１０３では、画像処理部１０２で生成された表示用データの色データ補正を行う。色データ補正部１０３が行う補正としては、例えば、ガンマ補正、色域補正等がある。
【００１６】
パネル部１０４は、画像表示装置１００に入力され画像処理部１０２及び色データ補正部１０３で処理された画像信号に基づく画像を表示する。パネル部１０４の例としては液
晶パネルがある。液晶パネルは、液晶面の背面からバックライトにより光を投射し、液晶の透過率を調整することで画像表示を行う。
【００１７】
測色用画像生成部１０５は、測色用画像を生成する。測色用画像は、後述の第１測色器２００及び第２測色器２０１により測色を行う際に表示される画像（パッチ画像）である。
【００１８】
グラフィックス生成部１０６は、グラフィックスデータの生成を行い、画像処理部１０２へ送出する。グラフィックスデータとしては、メニューやバナー等の表示用データがある。
【００１９】
ＣＰＵ（Ｃｅｎｔｒａｌ  Ｐｒｏｃｅｓｓｉｎｇ  Ｕｎｉｔ）１０７は、画像表示装置１００の各種制御を行う。
【００２０】
ＲＡＭ１０８は各種データを一時保存する用途に使用される。一時保存データとしては、ＣＰＵ１０７の実行するプログラムにより生成される中間データや、後述する組み合わせテーブルのデータ等が挙げられる。
【００２１】
ＲＯＭ１０９は各種データを不揮発データとして保存する用途に使用される。不揮発データとしては、ユーザ設定値、測色用画像データ、ＣＰＵ１０７の実行するプログラムのデータ等が挙げられる。
【００２２】
情報送受信部１１０は、後述のＰＣ３００との情報の送受信を行うためのインターフェース部である。情報送受信部１１０を介したＰＣ３００との通信手段としては、例えばＵＳＢケーブル等を用いることができる。やり取りされる情報の具体的な例としては、測色開始・終了指示情報、キャリブレーションの実行を通知する表示の指示等がある。
【００２３】
測色組み合わせ決定部１１１は、画像表示装置１００の画面内の複数の異なる領域に複数の測色用画像を並列表示させて領域毎に設置される複数の測色器により並列測色を行う際の測色用画像の組み合わせを決定する。測色組み合わせ決定部１１１は、測色に使用する測色器の数、測色用画像の種類の数、測色用画像のＲＧＢ値等を基に測色用画像の組み合わせを決定し、組み合わせ毎に測色を行う順番を決定し、組み合わせテーブルを作成して結果をＲＡＭ１０８に記憶する。詳細は後述する。
【００２４】
測色時間設定部１１２は、測色用画像毎の測色時間を設定する。測色時間は、測色用画像の種類毎に定められた、測色器によってその測色用画像の輝度又は色度の少なくともいずれかの測定を行う期間の長さである。測色器は、この期間内で複数回の測定を行い、測色器が出力する複数回分の測定値に基づいて測定対象の測色用画像の測色結果が得られる。一般的に、測色用画像の輝度値が低いほど測色時のノイズが多くなるため、測定時間は長く設定される。図３は、測色用画像の輝度と測色時間との関係を示す図である。図３に示すように、低輝度の測色用画像（輝度α）の測色時間は、高輝度の測色用画像（輝度β）の測色時間よりも長くなる傾向がある。これは、低輝度の測色用画像の測定では、ノイズ成分を除去するために多数回の測定を行う必要があるためである。
【００２５】
測色結果算出部１１３は、後述する第１測色器２００及び第２測色器２０１による測定値を基に、測色結果を計算する。測色結果算出部１１３は、各測色器に異なる測色用画像の測定値を並行して出力させることにより並列測色を行う異種画像並列測色制御が行われた場合は、各測色器による測定値に基づき、各測色用画像の測色結果を算出する。例えば、測色結果算出部１１３は、第１測色器２００により行われた第１の測色用画像の所定期間内の複数回の測定値の平均値を第１の測色用画像の測色結果として算出する。また、測
色結果算出部１１３は、第２測色器２０１により行われた第２の測色用画像の複数回の測定値の平均値を第２の測色用画像の測色結果として算出する。また、測色結果算出部１１３は、全ての測色器に同じ測色用画像の測定値を並行して出力させることにより並列測色を行う同種画像並列測色制御が行われた場合は、全ての測色器による測定値に基づき当該測色用画像の測色結果を算出する。例えば、測色結果算出部１１３は、第１測色器２００により行われた測色用画像の複数回の測定値と、第２測色器２０１により行われた当該測色用画像の複数回の測定値と、を合わせて平均値を計算し、これを当該測色用画像の測色結果とする。
【００２６】
キャリブレーション制御部１１４は、測色用画像生成部１０５，グラフィックス生成部１０６，測色組み合わせ決定部１１１，測色時間設定部１１２，測色結果算出部１１３を制御し、画像表示装置１００におけるキャリブレーション処理を制御する。また、キャリブレーション制御部１１４は、第１測色器２００及び第２測色器２０１への測色開始・終了指示、測定値の取得等の制御を行う。
【００２７】
第１測色器２００及び第２測色器２０１は、画像表示装置１００のパネル部１０４に接触するように設置され、画像表示装置１００の画面に表示される測色用画像を測定する。測定する項目としては輝度や色度等が挙げられる。第１測色器２００及び第２測色器２０１は、画像表示装置１００とは別体であっても良いし、画像表示装置１００の一機能として画像表示装置１００に一体的に備わっていても良い。本実施例では、図１に示すように、画像表示装置１００とは別体の第１測色器２００及び第２測色器２０１を測色時に画像表示装置１００に取り付ける構成を例に説明を行う。なお、第１測色器２００及び第２測色器２０１は、後述のＰＣ３００から測色時間を設定可能である。また、第１測色器２００及び第２測色器２０１は、ＰＣ３００から測色時間が設定されない場合は、測色時間を自動設定して動作することもできる。
【００２８】
ＰＣ３００は、キャリブレーション実行時に、第１測色器２００及び第２測色器２０１に対し、測色の開始・終了の指示、測定値の取得、測色時間・回数の設定等の制御を行う。ＰＣ３００は、画像表示装置１００からの指示に基づき、第１測色器２００及び第２測色器２０１に対する制御を行う。また、ＰＣ３００は、第１測色器２００及び第２測色器２０１から測定値を受信し、画像表示装置１００へ送信する。また、ＰＣ３００は、ユーザにより設定された測色用画像の輝度閾値を、画像表示装置１００へ送信する。輝度閾値については後述する。ＰＣ３００と測色器との通信は、例えばＵＳＢケーブルで両者を接続することにより行う。ＰＣ３００と測色器との通信手段は無線でも良い。
【００２９】
図２は本実施例の画像表示装置においてキャリブレーションを実行する場合の測色器の配置を示す概念図である。本実施例では、図２（ａ）に示すように、測色器を２つ並列で使用する。すなわち、キャリブレーションの実行時には、パネル部１０４に第１測色器２００及び第２測色器２０１が取り付けられる。画像表示装置１００は、各測色器の配置された位置に測色用画像を表示し、２つの測色用画像の測定が２つの測色器によって並列に行われる。図２（ｂ）は、異なる測色用画像を並列表示させて異なる測色用画像の測色を並列に行う場合を示している。図２（ｃ）は、同じ測色用画像を並列表示させて同じ測色用画像の測色を並列に行う場合を示している。
【００３０】
本実施例に係るキャリブレーション処理について説明する。
本実施例では、画像表示装置１００がキャリブレーション処理の制御を行う。画像表示装置１００は、測色用画像の表示制御を行う。また、画像表示装置１００は、ＰＣ３００を介して、第１測色器２００及び第２測色器２０１への測色開始及び測色終了の指示、測色時間の設定、測定値の取得を行う。
【００３１】
ＰＣ３００は、測色器が接続されたときに、接続されている測色器の数を検出し、測色器の接続数の情報を画像表示装置１００へ送信する。画像表示装置１００は、ＰＣ３００から受信した測色器の接続数の情報をＲＡＭ１０８へ記憶しておく。
【００３２】
また、画像表示装置１００のＲＯＭ１０９には、予め、図５に示すような測色用画像に関するデータが画像デーブルとして記憶されている。画像デーブルは、測色用画像の識別情報、画素値（Ｒ．Ｇ．Ｂ）、及び測色時間の情報を含む。なお、測色時間の単位は「秒」とする。
【００３３】
本実施例において、画像表示装置１００がキャリブレーション処理の開始前に行う、組み合わせテーブル作成処理について説明する。組み合わせテーブルとは、図６に示すように、測色順番、並列測色を行う測色用画像の組み合わせ、及び測色時間の情報が登録されたテーブルである。本実施例では測色器の接続数が２の場合を例に説明しているので、組み合わせテーブルには２つの測色用画像の組み合わせの情報が登録されている。ｎ個の測色器が接続されている場合は、組み合わせテーブルにはｎ個の測色用画像の組み合わせの情報が登録される。
【００３４】
測色組み合わせ決定部１１１は、組み合わせテーブル作成処理により、測色用画像の組み合わせ（並列測色を行う測色用画像の組み合わせ）と、組み合わせ毎の測色順番を決定する。
【００３５】
まず、測色組み合わせ決定部１１１は、図５の画像データテーブルに基づき、以下の条件を満たす測色用画像の組み合わせ（Ｘ，Ｙ）を作成する。
（（Ｘｒ−４０）＜Ｙｒ＜（Ｘｒ＋４０））且つ
（（Ｘｇ−４０）＜Ｙｇ＜（Ｘｇ＋４０））且つ
（（Ｘｂ−４０）＜Ｙｂ＜（Ｘｂ＋４０））      ・・・（式１）
ここで、
Ｘｒ、Ｘｇ、Ｘｂ：測色用画像ＸのＲＧＢ各成分
Ｙｒ、Ｙｇ、Ｙｂ：測色用画像ＹのＲＧＢ各成分
を意味する。また、式中の数値「４０」は、異なる測色用画像の組み合わせで許容されるＲＧＢ各色成分の差分の上限値である。すなわち、上記の式の例では、ＲＧＢの全ての色で、色成分同士の差分が４０より小さくなる２つの測色用画像が組み合わせられる。この上限値の数値は、パネル部１０４に２つの測色用画像を並列表示させて２つの測色器で並列測色する場合に、並列表示される測色用画像の一方が他方の測色結果へ与える影響が所定の許容レベル以下になる数値として予め定められる数値である。この上限値は、測色器の特性やキャリブレーションの要求精度等に応じて定められる。
【００３６】
図５の画像テーブルの場合、上記条件を満たす測色用画像の組み合わせは、（Ａ，Ｂ）、（Ａ、Ｃ）、（Ａ，Ｇ）、（Ｃ，Ｄ）、（Ｃ，Ｅ）、（Ｃ，Ｆ）、（Ｃ，Ｇ）、（Ｄ，Ｅ）、（Ｄ，Ｆ）、（Ｅ，Ｆ）、及び（Ｈ，Ｉ）の１１個である。これらの組み合わせは、それぞれ測色器の数以下の測色用画像からなる測色用画像のグループであって、同じグループに属する測色用画像同士の画素値の差分が閾値より小さくなるようなグループである。測色組み合わせ決定部１１１は、これらの組み合わせのうちから、異なる組み合わせ同士で同じ測色用画像が含まれないように複数の組み合わせを選択する。例えば、測色組み合わせ決定部１１１は、上記１１個の組み合わせから以下の４個の組み合わせを選択する。
組み合わせ１：（Ａ、Ｂ）
組み合わせ２：（Ｃ、Ｄ）
組み合わせ３：（Ｅ、Ｆ）
組み合わせ４：（Ｈ、Ｉ）
これは、全ての測色用画像のうち、後述する、他のどの種類の測色用画像と比較しても画素値の差分が閾値以上となるような測色用画像以外の測色用画像を、上記のグループによりグループ分けしたものである。なお、このグループ分けの対象となる測色用画像はＡ，Ｂ，Ｃ，Ｄ，Ｅ，Ｆ，Ｇ，Ｈ，Ｉの９個だが、上記のグループ分けでは対象となる測色用画像のうち１つ（上記の例では測色用画像Ｇ）がどのグループにも属さなくなってしまう。このような測色用画像については、後述のように、例外的に、他のどの種類の測色用画像と比較しても画素値の差分が閾値以上となるような測色用画像と同じ扱いをするものとする（同種画像並列測色制御を行う）。
【００３７】
測色組み合わせ決定部１１１は、選択した上記の組み合わせを、組み合わせテーブルに登録する。ここで、測色組み合わせ決定部１１１は、各組み合わせについて、その組み合わせに属する測色用画像の測色時間のうちで最も長い測色時間を、その組み合わせに対応する「測色時間」として組み合わせテーブルに登録する。例えば、組み合わせ１の場合、測色用画像Ａの測色時間が９００、測色用画像Ｂの測色時間が８５０であるから、この組み合わせ１に対応する測色時間は９００となる。
【００３８】
次に測色組み合わせ決定部１１１は、上記組み合わせのいずれにも属さない測色用画像について、当該測色用画像を重複して含む組み合わせを作成し、組み合わせテーブルに登録する。上記の例では、画像テーブルの画像Ａ〜Ｊのうち、上記の組み合わせ１〜４のいずれにも属していないのは測色用画像Ｇ，Ｊである。従って、測色組み合わせ決定部１１１は、以下のように、測色用画像Ｇを重複して含む組み合わせ５と、測色用画像Ｊを重複して含む組み合わせ６を更に作成し組み合わせテーブルに登録する。
組み合わせ５：（Ｇ，Ｇ）
組み合わせ６：（Ｊ、Ｊ）
【００３９】
同じ測色用画像を重複して含むこれら組み合わせについては、複数の測色器の全てがこの同じ測色用画像を測定する。測色組み合わせ決定部１１１は、同じ測色用画像を重複して含む組み合わせについては、当該測色用画像の測色時間を測色器数（本実施例では２）で割った値を、この組み合わせに対応する「測色時間」として、組み合わせテーブルに登録する。上記の組み合わせ５の例では、測色用画像Ｇの測色時間は１０００であり、測色器の数が２であるから、組み合わせ５に対応する測色時間として５００が設定される。なお、測色用画像Ｇは、例えば測色用画像Ａとの組み合わせで上記の式１の条件を満たすため、測色用画像Ｊのような他のどの種類の測色用画像と比較しても画素値の差分が閾値以上となるような測色用画像ではないが、例外的に測色用画像Ｊと同等の扱いとした。しかし、このような例外的な処理を行わず、測色用画像Ｇも式１の条件を満たす他の測色用画像と組み合わせて、異種画像並列測色制御を行うようにしても良い。ただし、その場合、同種画像並列測色制御を行う場合と比較して測色用画像Ｇの測色結果を得るために要する測色時間が長くかかることになる。
【００４０】
ここで複数の測色器で同じ測色用画像を測色する場合に、測色時間を測色器数で除算することが可能な理由について説明する。通常、測色器にて測定を実施する場合、複数回（Ｎ回とする）測定を行い、Ｎ回の測定値の平均値が測色結果として算出される。複数の測色器で同じ測色用画像を測色する場合は、使用する測色器の数をＡとしたときに、それぞれの測色器で必要な測定回数Ｍは、
Ｍ＝Ｎ／Ａ
となる。それぞれの測色器によってＭ回測定した後、全ての測色器による測定値の平均値を算出することで、１つの測色器によりＮ回測定して得られる測色結果と同様の測色結果を得ることができる。複数の測色器で同じ測色用画像を測色することにより、１つの測色器を用いる場合よりも少ない時間で測色結果を得ることができる。
【００４１】
以上のようにして、図６（ａ）に示すような組み合わせテーブルが作成される。この組み合わせテーブルは、並列測色を行う測色用画像の組み合わせを、画素値の差分が小さい測色用画像の組み合わせに限定するようにして作成される。この組み合わせテーブルによれば、並列測色を行う場合に、画素値が大きく異なる測色用画像同士は並列表示されないので、並列測色において一方の測色用画像が他方の測色用画像の測定に影響を与えることを抑制できる。これにより、並列測色を行っても高い精度で測定を行うことができるので、キャリブレーションの精度の低下を抑制できる。
【００４２】
なお、図３に示したように、低輝度の測色用画像ほど測色に長い時間を要する。そこで、キャリブレーション処理全体の所要時間の短縮のために、測色組み合わせ決定部１１１は、所定の閾値より低輝度の測色用画像（低輝度測色用画像）については、同じ測色用画像を重複して含む組み合わせに属するように組み合わせテーブルを作成しても良い。所定の閾値は、予めＲＯＭ１０９に記憶されていても良いし、ユーザがＰＣ３００を用いて設定可能な値であっても良い。例えば、測色組み合わせ決定部１１１は、ＲＧＢ各色の画素値の平均値が閾値以下である測色用画像を、低輝度測色用画像と判定し、低輝度測色用画像については、同じ測色用画像を重複して含む組み合わせに属するように組み合わせテーブルを作成する。測色組み合わせ決定部１１１は、低輝度測色用画像以外の測色用画像（高輝度測色用画像）については、異なる測色用画像からなる組み合わせを作成し、組み合わせテーブルに登録する。
【００４３】
例えば、閾値を２０とした場合、図５の画像テーブルにおいて、測色用画像Ａ，Ｃ，Ｇが低輝度測色用画像と判定され、測色用画像Ｂ，Ｄ，Ｅ，Ｆ，Ｈ，Ｉ，Ｊが高輝度測色用画像と判定される。測色組み合わせ決定部１１１は、高輝度測色用画像について、異なる測色用画像からなる組み合わせを、異なる組み合わせに同じ測色用画像が含まれないように、例えば以下のように作成し、組み合わせテーブルに登録する。
組み合わせ１：（Ｂ，Ｄ）
組み合わせ２：（Ｅ，Ｆ）
組み合わせ３：（Ｈ，Ｉ）
【００４４】
測色組み合わせ決定部１１１は、これらの組み合わせについては、組み合わせに属する測色用画像の測色時間のうち最も長いものを、その組み合わせに対応する測色時間として組み合わせテーブルに登録する。例えば、組み合わせ１については、測色用画像Ｂの測色時間が８５０、測色用画像Ｄの測色時間が８５０であるから、組み合わせ１に対応する測色時間は８５０となる。
【００４５】
測色組み合わせ決定部１１１は、低輝度測色用画像Ａ，Ｃ，Ｇと、上記の組み合わせに含まれなかった高輝度測色用画像Ｊについては、同じ測色用画像を重複して含む組み合わせに属するように、以下のように組み合わせを作成し、組み合わせテーブルに登録する。
組み合わせ４：（Ａ，Ａ）
組み合わせ５：（Ｃ，Ｃ）
組み合わせ６：（Ｇ，Ｇ）
組み合わせ７：（Ｊ，Ｊ）
【００４６】
測色組み合わせ決定部１１１は、これらの組み合わせについては、組み合わせに属する測色用画像の測色用時間を測色器の数で割った値を、その組み合わせに対応する測色時間として組み合わせテーブルに登録する。例えば、組み合わせ４については、測色用画像Ａの測色時間が９００、測色器の数が２であるから、組み合わせ４に対応する測色時間は４５０となる。
【００４７】
以上のようにして図６（ｂ）に示すような組み合わせテーブルが作成される。この組み合わせテーブルによれば、低輝度測色用画像については２つの測色器で並列して測色が行われるので、低輝度測色用画像の測色に要する時間を短縮することができ、キャリブレーション処理全体の所要時間の短縮が図られる。
【００４８】
また、測色組み合わせ決定部１１１は、測色用画像同士の画素値の差分と、測色用画像の輝度と、の両方に基づいて組み合わせテーブルを作成するようにしても良い。すなわち、低輝度測色用画像と、他のいずれの測色用画像との関係においても画素値の差分がＲＧＢいずれかの色成分について閾値以上となるような測色用画像と、については、同じ測色用画像を重複して含む組み合わせに属するようにする。そして、それ以外の測色用画像については、異なる測色用画像同士で組み合わせを作成するようにしても良い。図５の画像テーブルの場合、上述の例と同じ閾値を用いると、測色用画像Ａ，Ｃ，Ｇ，Ｊが同じ測色用画像を重複して含む組み合わせに属する測色用画像となり、それ以外の測色用画像Ｂ，Ｄ，Ｅ，Ｆ，Ｈ，Ｉにより異なる測色用画像同士で組み合わせが作成される。この場合、組み合わせテーブルは図６（ｂ）と同じになっている。しかし、画像テーブルが図５の例と異なる場合には、測色用画像同士の画素値の差分と、測色用画像の輝度と、のいずれか一方に基づいて作成される組み合わせテーブルと両方に基づいて作成される組み合わせテーブルとは必ずしも同じになるとは限らない。測色用画像同士の画素値の差分と、測色用画像の輝度と、の両方に基づいて作成された組み合わせテーブルによれば、低輝度測色用画像の測色に要する時間の短縮と、並列表示される異なる測色用画像同士の干渉の抑制と、が可能となる。従って、高精度のキャリブレーションを高速に行うことが可能になる。
【００４９】
次に、図４のフローチャートに基づいて本実施例のキャリブレーション処理について説明する。
ステップＳ５０１にて、キャリブレーション制御部１１４は、キャリブレーション処理を開始する。キャリブレーション制御部１１４は、測色器の設置位置への測色用画像の表示、測色開始の警告表示、バナー表示等の表示制御を行う。これらの表示制御は、キャリブレーション制御部１１４が、情報送受信部１１０を介してＰＣ３００へ表示指示を送信することによって行っても良い。キャリブレーション制御部１１４は、図７のような表示位置開始テーブルを参照して、パネル部１０４の画素数と測色器の接続数に応じた測色用画像の表示位置及び表示数を決定する。表示位置開始テーブルは、測色器の接続数毎に定められ、ＲＯＭ１０９に記憶されている。図７は測色器の接続数「２」に対応する表示位置開始テーブルである。測色器の接続数がＮの場合、それに対応してＮ個の測色用画像の表示位置が規定された表示位置開始テーブルが読み込まれる。図７の表示位置開始テーブルにおいて、Ｘ、Ｙ，は、測色用画像の最も左上の画素の座標を示している。図７の例では、第１測色器２００で測定する測色用画像は、Ｘ座標が７５０，Ｙ座標が５９０の画素が最も左上の画素となるように表示される。第２測色器２０１で測定する測色用画像は、Ｘ座標が７５０、Ｙ座標が１８７０の画素が最も左上の画素となるように表示される。なお、本実施例では、パネル部１０４の画素数は横（Ｙ方向）２５６０ピクセル×縦（Ｘ方
向）１６００ピクセルとし、測色用画像のサイズは全て横１００ピクセル×縦１００ピクセルとする。
【００５０】
次にステップＳ５０２にて、キャリブレーション制御部１１４は、組み合わせテーブルを参照し、今回の測色順番に対応する測色用画像の組み合わせが、同じ測色用画像を重複して含む組み合わせか、異なる測色用画像の組み合わせかを判定する。ここでは、今回の測色順番をｎ番目とする（ｎ＝１，２，・・・）。例えば、図６（ａ）の測色順番１の場合、測色用画像の組み合わせは（Ａ、Ｂ）であるから、異なる測色用画像の組み合わせであると判定される。測色順番６の場合、測色用画像の組み合わせは（Ｊ、Ｊ）であるから、同じ測色用画像の組み合わせであると判定される。
【００５１】
ステップＳ５０２にて同じ測色用画像を重複して含む組み合わせであると判定された場合（ＹＥＳ）、Ｓ５０６〜Ｓ５０８の処理へ進む。Ｓ５０２にて異なる測色用画像の組み合わせであると判定された場合（Ｎｏ）、Ｓ５０３〜Ｓ５０５の処理へ進む。
【００５２】
ステップＳ５０３では、測色用画像生成部１０５は、組み合わせテーブルを参照し、測色順番ｎに対応する測色用画像の組み合わせの情報を取得する。そして、測色用画像生成部１０５は、組み合わせに含まれる測色用画像の画素値を画像テーブル（図５）から読み込み、表示位置開始テーブル（図７）から各測色用画像の表示位置の情報を取得する。ここでは２つの異なる測色用画像の情報が読み込まれる。第１測色器２００による測定が行われる位置に表示される測色用画像を第１測色用画像、第２測色器２０１による測定が行われる位置に表示される測色用画像を第２測色用画像という。測色用画像生成部１０５は、規定の位置に第１測色用画像及び第２測色用画像が描画されるような画像データを生成し、画像処理部１０２へ送出する。これにより、２つの異なる測色用画像が並列してパネル部１０４へ表示される。
【００５３】
ステップＳ５０４では、第１測色器２００及び第２測色器２０１の２つの測色器でそれぞれの測色用画像の測定が並列に行われる。測色時間設定部１１２は、２つの測色器の測色時間の情報を、組み合わせテーブル（図６）の測色順番ｎに対応する測色時間を参照して取得し、情報送受信部１１０を介してＰＣ３００に送信する。ＰＣ３００は受信した測色時間の情報に基づき第１測色器２００及び第２測色器２０１に測色時間を設定する。
【００５４】
ステップＳ５０５では、測色結果算出部１１３は、第１測色器２００の測定値の平均値を計算し、それを第１測色用画像の測色結果とし、第２測色器２０１の測定値の平均値を計算し、それを第２測色用画像の測色結果とする。
【００５５】
ステップＳ５０６では、測色用画像生成部１０５は、組み合わせテーブルを参照し、測色順番ｎに対応する測色用画像の組み合わせの情報を取得する。そして、測色用画像生成部１０５は、組み合わせに含まれる測色用画像の画素値を画像テーブル（図５）から読み込み、表示位置開始テーブル（図７）から各測色用画像の表示位置の情報を取得する。ここでは１つの測色用画像の情報が読み込まれる。測色用画像生成部１０５は、読み込んだ測色用画像が規定の位置に表示されるような画像データを生成し、画像処理部１０２へ送出する。これにより、同じ測色用画像が並列してパネル部１０４へ表示される。
【００５６】
ステップＳ５０７では、第１測色器２００及び第２測色器２０１の２つの測色器で同じ測色用画像の測定が並列に行われる。測色時間設定部１１２は、２つの測色器の測色時間の情報を、組み合わせテーブル（図６）の測色順番ｎに対応する測色時間を参照して取得し、情報送受信部１１０を介してＰＣ３００に送信する。ＰＣ３００は受信した測色時間の情報に基づき第１測色器２００及び第２測色器２０１に測色時間を設定する。
【００５７】
ステップＳ５０８では、測色結果算出部１１３は、第１測色器２００の測定値と第２測色器２０１の測定値とを合わせて平均値を計算し、それを測色用画像の測色結果とする。
【００５８】
ステップＳ５０９では、キャリブレーション制御部１１４は、ステップＳ５０５又はステップＳ５０８で算出された測色結果に基づき、画像処理部１０２及び色データ補正部１０３の画像処理パラメータを補正する。測色用画像の測色結果に基づく画像処理パラメータの補正方法は公知のキャリブレーション方法を用いることができるのでここでは詳細な説明は省略する。例えば、測色用画像毎に設定されている輝度の目標値や色度の目標値と、測色結果との差分に基づき、その差分を小さくする方向へ画像処理パラメータを補正する。
【００５９】
ステップＳ５１０にて、キャリブレーション制御部１１４は、組み合わせテーブルに登録された全ての測色が終了したか判定する。例えば図６（ａ）の組み合わせテーブルの場合、現在の測色順番ｎ＝６であったら、全ての測色が終了したと判定され、ｎ＜６であったら、未だ全ての測色が終了していないと判定される。Ｓ５１０にて全ての測色が終了したと判定された場合（ＹＥＳ）、ステップＳ５１２の処理に進み、キャリブレーション処理が終了する。この時、キャリブレーション制御部１１４はグラフィックス生成部１０６に指示して、又は情報送受信部１１０を介してＰＣ３００に指示して、パネル部１０４へキャリブレーションの終了を通知する警告やバナーを表示しても良い。Ｓ５１０にて全ての測色が終了していないと判定された場合（Ｎｏ）、キャリブレーション制御部１１４は、ステップＳ５１１の処理に進み、測色順番を１インクリメントして、ステップＳ５０２の処理に戻る。
【００６０】
以上説明した本実施例のキャリブレーション処理によれば、キャリブレーションの精度の低下を抑制しつつ、キャリブレーションに要する時間を短縮することができる。
【００６１】
本実施例では、画像表示装置にキャリブレーション処理を制御する機能部が備わる例を説明したが、ＰＣ等の外部機器にキャリブレーション処理を制御する機能部が備わる構成でもよい。その場合、例えば、画像表示装置の構成は、図１の、画像入力部１０１，画像処理部１０２，色データ補正部１０３，パネル部１０４、情報送受信部１１０を備える構成とする。そして、ＰＣ３００が、測色組み合わせ決定部１１１，測色時間設定部１１２，測色結果算出部１１３，キャリブレーション制御部１１４、測色用画像生成部１０５、グラフィックス生成部１０６に相当する機能部を備える。ＰＣ３００は、画像表示装置とは別体の複数の測色器が接続されるキャリブレーション装置となる。ＰＣ３００は、測色器接続数、画像テーブル、組み合わせテーブル、表示位置開始テーブルを保持し、測色順番に従って複数の測色用画像が測色器による測定位置に表示されるような画像信号を生成し、画像表示装置１００へ出力する。それとともに、ＰＣ３００は、測色器に対し測色の実行、測色時間の指示等の制御を行い、測色器からの測定値を受信して、測色結果を算出する。そして、ＰＣ３００は、測色結果とキャリブレーションの目標値との差分に基づいて、画像表示装置１００の画像処理部１０２や色データ補正部１０３におけるパラメータ（ＬＵＴ等）を補正するためのデータを生成し、情報送受信部１１０へ送信する。画像表示装置１００が、情報送受信部１１０から受信したデータに基づき、画像処理部１０２や色データ補正部１０３におけるパラメータを補正することにより、キャリブレーションが行われる。
【００６２】
本実施例では、画像表示装置とは別体の測色器を複数用いて並列測色を行う例を説明したが、測色器は画像表示装置に備わるものであっても良いし、画像表示装置と別体の測色器と画像表示装置に備わる測色器とを併用しても良い。例えば、１つの測色器を備える画像表示装置において、当該測色器と、別体の測色器と、の２つの測色器を併用して、本実施例と同様の方法で並列測色を行えば、本実施例と同様にキャリブレーションの精度低下
を抑えつつ処理時間の短縮が可能となる。
【００６３】
本実施例では、２つの測色器により並列測色を行う例を説明したが、測色器の数は２以上であれば本実施例の例に限られない。
【符号の説明】
【００６４】
１００：画像表示装置、１０５：測色用画像生成部、１０９：ＲＯＭ、１１１：測色組み合わせ決定部、１１２：測色時間設定部、１１３：測色結果算出部、１１４：キャリブレーション制御部、２００：第１測色器、２０１：第２測色器、３００：ＰＣ
【図１】
2013211733.tif 000003
【図２】
2013211733.tif 000004
【図３】
2013211733.tif 000005
【図４】
2013211733.tif 000006
【図５】
2013211733.tif 000007
【図６】
2013211733.tif 000008
【図７】
2013211733.tif 000009